【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
発光ダイオード照明装置であって、
基板と、
前記基板に取り付けられている少なくとも１つの発光ダイオードと、
前記基板に結合され、前記少なくとも１つの発光ダイオードを取り囲むように構成され、光混合キャビティを画定する少なくとも１つの反射性側壁と、
前記少なくとも１つの発光ダイオードが発生させる光に露出される前記光混合キャビティの第１の波長変換領域を覆う第１の種類の波長変換材料と、
前記少なくとも１つの発光ダイオードが発する前記光への前記第１の波長変換領域の前記露出を変更するように配置されている移動可能な色調整部材と、
前記光混合キャビティ内の光が伝達される出力ポートとを含み、
前記移動可能な色調整部材が、前記少なくとも１つの発光ダイオードに対して回転可能であることを特徴とする発光ダイオード照明装置。
【請求項２】
前記第１の波長変換領域が前記移動可能な色調整部材上にあり、前記発光ダイオード照明装置が、前記移動可能な色調整部材上の第２の波長変換領域を覆う第２の種類の波長変換材料をさらに含み、前記第２の波長変換領域が、前記第１の波長変換領域とは異なっていることを特徴とする請求項１の発光ダイオード照明装置。
【請求項３】
前記移動可能な色調整部材が、前記少なくとも１つの反射性側壁を含むことを特徴とする請求項１の発光ダイオード照明装置。
【請求項４】
前記移動可能な色調整部材が、前記少なくとも１つの発光ダイオードに対して垂直に移動可能である前記少なくとも１つの反射性側壁を含むことを特徴とする請求項１の発光ダイオード照明装置。
【請求項５】
前記移動可能な色調整部材が、前記基板と、前記基板上に取り付けられ、前記少なくとも１つの反射性側壁に対して移動可能である前記少なくとも１つの発光ダイオードとを含むことを特徴とする請求項１の発光ダイオード照明装置。
【請求項６】
発光ダイオード照明装置であって、
基板と、
前記基板に取り付けられている少なくとも１つの発光ダイオードと、
前記基板に結合され、前記少なくとも１つの発光ダイオードを取り囲むように構成され、光混合キャビティを画定する少なくとも１つの反射性側壁と、
前記少なくとも１つの発光ダイオードが発生させる光に露出される前記光混合キャビティの第１の波長変換領域を覆う第１の種類の波長変換材料と、
前記少なくとも１つの発光ダイオードが発する前記光への前記第１の波長変換領域の前記露出を変更するように配置されている移動可能な色調整部材と、
前記光混合キャビティ内の光が伝達される出力ポートとを含み、
前記移動可能な色調整部材が、前記光混合キャビティ内へ延出する長さを有するロッド部材であり、該ロッド部材が、前記第１の種類の波長変換材料を含み、前記光混合キャビティ内へ延出する前記ロッド部材の前記長さまたは前記光混合キャビティ内部の前記ロッド部材の形状のいずれか一方が調整可能であることを特徴とする発光ダイオード照明装置。
【請求項７】
前記ロッド部材が、前記少なくとも１つの発光ダイオードが発する前記光に露出される表面領域を調整するべく前記ロッド部材の径を拡縮するように構成された柔軟な部分を含むことを特徴とする請求項１の発光ダイオード照明装置。
【請求項８】
発光ダイオード照明装置であって、
基板と、
前記基板に取り付けられている少なくとも１つの発光ダイオードと、
前記基板に結合され、前記少なくとも１つの発光ダイオードを取り囲むように構成され、光混合キャビティを画定する少なくとも１つの反射性側壁と、
前記少なくとも１つの発光ダイオードが発生させる光に露出される前記光混合キャビティの第１の波長変換領域を覆う第１の種類の波長変換材料と、
前記少なくとも１つの発光ダイオードが発する前記光への前記第１の波長変換領域の前記露出を変更するように配置されている移動可能な色調整部材と、
前記光混合キャビティ内の光が伝達される出力ポートとを含み、
前記移動可能な色調整部材が移動可能な半透明窓を含み、該移動可能な半透明窓が、前記少なくとも１つの発光ダイオードとは異なる高さに配置されるように構成され、
前記第１の種類の波長変換材料が、前記少なくとも１つの反射性側壁上にあり、
前記光混合キャビティの前記第１の波長変換領域が、前記移動可能な半透明窓の高さを変えることによって調整可能であることを特徴とする発光ダイオード照明装置。
【請求項９】
前記移動可能な半透明窓が、第２の種類の波長変換材料を含むことを特徴とする請求項８の発光ダイオード照明装置。
【請求項１０】
発光ダイオード照明装置であって、
基板と、
前記基板に取り付けられている少なくとも１つの発光ダイオードと、
前記少なくとも１つの発光ダイオードを取り囲むように構成されている少なくとも１つの反射性側壁であって、前記基板及び前記少なくとも１つの反射性側壁が光混合キャビティを画定し、光が前記基板の反対側にある出力ポートを通って前記光混合キャビティから出るような、該少なくとも１つの反射性側壁と、
前記少なくとも１つの発光ダイオードが発生させる光に露出される前記光混合キャビティの第１の波長変換領域を覆う少なくとも１つの種類の波長変換材料と、
前記光混合キャビティから光を受光するように配置された移動可能な光調整部材とを含み、
前記移動可能な光調整部材の動きが、前記光混合キャビティから出る前に前記少なくとも１つの発光ダイオードが発生させる光に直接的に露出される前記第１の波長変換領域の量を変更するようにしたことを特徴とする発光ダイオード照明装置。
【請求項１１】
前記移動可能な光調整部材が、前記少なくとも１つの発光ダイオードとは異なる高さに配置されるように構成されたレンズであることを特徴とする請求項１０の発光ダイオード照明装置。
【請求項１２】
前記レンズが、前記光混合キャビティを貫通して延在する垂直に移動可能な要素に結合され、前記レンズが、前記垂直に移動可能な要素を動かして前記光混合キャビティ内に入れるかまたは外に出すことによって、異なる高さに配置されるように構成されていることを特徴とする請求項１１の発光ダイオード照明装置。
【請求項１３】
前記移動可能な光調整部材が、第２の種類の波長変換材料を有する移動可能な半透明窓であり、前記第１の種類の波長変換材料が、前記少なくとも１つの反射性側壁上にあり、前記光混合キャビティの前記第１の波長変換領域が、前記移動可能な半透明窓の高さを変えることによって調整可能であることを特徴とする請求項１０の発光ダイオード照明装置。
【請求項１４】
発光ダイオード照明装置であって、
基板と、
前記基板に取り付けられている少なくとも１つの発光ダイオードと、
前記基板に結合されかつ前記少なくとも１つの発光ダイオードを取り囲むように構成され、光混合キャビティを画定する少なくとも１つの反射性側壁と、
前記光混合キャビティ内に配置された波長変換材料と、
前記光混合キャビティ内の光が伝達される出力ポートと、
前記反射性側壁に移動可能に結合されかつ前記出力ポートを覆い、波長変換材料組成が互いに異なる複数の領域を有する基体を含み、前記出力ポートを介して伝達される前記光の色を変えるべく前記複数の領域のうちの選択された１つを前記出力ポートと整合させるように移動可能である色選択プレートとを含むことを特徴とする発光ダイオード照明装置。
【請求項１５】
前記色選択プレートが中心として回転し、それによって、前記出力ポートを覆う前記複数の領域のうちの前記選択された１つの位置を合わせるようにしたことを特徴とする請求項１４の発光ダイオード照明装置。
【請求項１６】
前記色選択プレートが摺動し、それによって、前記出力ポートを覆う前記複数の領域のうちの前記選択された１つの位置を合わせるようにしたことを特徴とする請求項１４の発光ダイオード照明装置。
【請求項１７】
前記色選択プレートがヒートシンクに熱的に結合されていることを特徴とする請求項１４の発光ダイオード照明装置。
【請求項１８】
前記互いに異なる複数の波長変換材料組成が、異なる濃度の波長変換材料、異なる密度の波長変換材料、及び異なる波長変換材料を含むことを特徴とする請求項１４の発光ダイオード照明装置。